(57)【要約】      （修正有）【課題】設置環境による影響を受けにくくすることが可能な電位治療装置を提供する。【解決手段】主電極を有する椅子２と、対電極を有し椅子２から独立して配置可能なバックプレート３と、主電極に高電圧を印加する高電圧発生ユニット４とを備える。高電圧発生ユニット４によって電極に高電圧を印加することで、椅子２に座っている被治療者Ｃの人体の周囲に電界を形成する。椅子２とバックプレート３を別個独立して配置可能なため、電位治療装置１の設置自由度が高まる。【選択図】図１
2008188200.tif 000002
【特許請求の範囲】
【請求項１】
電極を有する椅子と、
電極を有し、前記椅子から独立して配置可能な独立電極体と、
前記椅子の電極および前記独立電極体の電極の少なくとも一方に高電圧を印加する高電圧発生装置と、を備え、
前記高電圧発生装置によって前記電極に高電圧を印加することで、前記椅子に座っている被治療者の人体の周囲に電界を形成することを特徴とする電位治療装置。
【請求項２】
前記独立電極体の電極の位置が移動可能であることを特徴とする請求項１に記載の電位治療装置。
【請求項３】
前記独立電極体を複数備えることを特徴とする請求項１または２のいずれか１項に記載の電位治療装置。
【請求項４】
前記独立電極体に、前記高電圧発生装置によって高電圧が印加されている状態を示す表示手段を備えることを特徴とする請求項１〜３のいずれか１項に記載の電位治療装置。
【発明の詳細な説明】
【技術分野】
【０００１】
本発明は、人体に高電圧を印加し、人体の周囲に電界を形成して治療を行うための電位治療装置に関し、特に、設置環境による影響を受けにくい電位治療装置に関するものである。
【背景技術】
【０００２】
電位治療装置は、絶縁された人体に高電圧を与え、人体の周囲に形成された電界による生体刺激作用を利用して、治療を行うものである。このような電位治療装置には、被治療者が椅子に座った状態で治療を受けられるものが知られている（例えば、特許文献１参照。）。この電位治療装置は、被治療者が座る椅子と、被治療者が椅子に座った際に被治療者の頭部上方に位置する頭部電極カバーと、フットレストとを備え、頭部電極カバーが椅子の背もたれに固定されている。また、頭部電極カバーと椅子の座部とには主電極が埋設され、フットレストには足部電極が埋設されている。そして、例えば、足部電極を接地し（アース電極とし）、頭部電極カバーと座部の主電極に高電圧を印加することで、被治療者の人体の周囲に電界を形成するものである。
【特許文献１】特開２００７−１４６２３号公報
【発明の開示】
【発明が解決しようとする課題】
【０００３】
ところで、上記のような電位治療装置では、頭部電極カバーが椅子の背もたれに固定されているために、設置環境による影響を受ける場合がある。例えば、椅子と頭部電極カバーとを一体的に設置できる大きな設置スペースが必要となり、設置場所や設置位置、設置方向が制限されてしまう。つまり、電位治療装置の設置方向などが設置環境（設置場所）に制限されることとなる。
【０００４】
また、壁や電気機器など大地（アース）電位に近い物体の近くに電位治療装置を設置すると、適正な治療効果が得られない場合が生じる。例えば、椅子の側方（椅子に座った被治療者の腕側）に壁が位置すると、壁に近い部位では電界の強度が高くなる。これにより、人体の周囲に形成される電界の強度が人体の部位によって変化し（乱され）、所定の（適正な）治療効果が得られない場合が生じる。つまり、治療効果が設置環境によって影響されることとなる。
【０００５】
そこで本発明は、設置環境による影響を受けにくくすることが可能な電位治療装置を提供することを目的とする。
【課題を解決するための手段】
【０００６】
上記目的を達成するために請求項１に記載の発明は、電極を有する椅子と、電極を有し、前記椅子から独立して配置可能な独立電極体と、前記椅子の電極および前記独立電極体の電極の少なくとも一方に高電圧を印加する高電圧発生装置と、を備え、前記高電圧発生装置によって前記電極に高電圧を印加することで、前記椅子に座っている被治療者の人体の周囲に電界を形成することを特徴とする電位治療装置である。
【０００７】
請求項２に記載の発明は、請求項１に記載の電位治療装置において、前記独立電極体の電極の位置が移動可能であることを特徴とする。
【０００８】
請求項３に記載の発明は、請求項１または２のいずれか１項に記載の電位治療装置において、前記独立電極体を複数備えることを特徴とする。
【０００９】
請求項４に記載の発明は、請求項１〜３のいずれか１項に記載の電位治療装置において、前記独立電極体に、前記高電圧発生装置によって高電圧が印加されている状態を示す表示手段を備えることを特徴とする。
【発明の効果】
【００１０】
請求項１に記載の発明によれば、独立電極体が椅子から独立して配置可能である。つまり、椅子と独立電極体を別個独立して自由に配置することができる。このため、電位治療装置の設置自由度が高まり、設置スペースが小さい場合や異形の場合であっても、電位治療装置を設置することや、設置スペースの範囲内で自由な位置や方向に電位治療装置を設置することが可能となる。また、壁などの近くに椅子を配置しても、壁などと椅子との間に独立電極体を配置することで、壁などによって電界の強度が変化することを防止できる。このため、電位治療装置を壁などの近くに設置しても、人体の周囲に形成される電界の強度が変化する（乱され）ことがなく、適正な治療効果が得られる。以上のようにして、設置の面および治療効果の面から、設置環境による影響を受けにくくなるものである。
【００１１】
請求項２に記載の発明によれば、独立電極体の電極の位置が移動可能なため、被治療者の体格や設置スペースの環境などに応じて電極の位置を移動させることで、被治療者の人体の周囲に電界を適正に形成することが可能となる。
【００１２】
請求項３に記載の発明によれば、独立電極体を複数備えているため、より柔軟な設置および適正な電界の形成が可能となる。すなわち、例えば複数の壁の近くに椅子を配置しても、壁と椅子との間にそれぞれ独立電極体を配置することで、壁による電界強度の変化を防止できる。また、例えば椅子を囲むように複数の独立電極体を配置することで、被治療者の人体の周囲を囲むようにより適正な電界を形成することが可能となる。
【００１３】
請求項４に記載の発明によれば、独立電極体に表示手段を備えているため、被治療者および第三者は、表示手段を見ることで高電圧が印加されていることを瞬時かつ容易に把握することができる。
【発明を実施するための最良の形態】
【００１４】
以下、本発明を図示の実施の形態に基づいて説明する。
【００１５】
図１〜３は、本発明の実施の形態に係る電位治療装置１を示す斜視図である。この電位治療装置１は、主として、椅子２と、バックプレート（独立電極体）３と、高電圧発生ユニット（高電圧発生装置）４とを備えている。
【００１６】
椅子２は、被治療者Ｃが座る椅子であり、表面が絶縁物（表層材）で覆われている。この椅子２の座部２１には、図４に示すように、板状の主電極（電極）２２が埋設され、この主電極２２は高電圧発生ユニット４の電圧出力端子に接続されている。
【００１７】
バックプレート３は、椅子２とは別体であり、椅子２から独立して自由に配置可能となっている。このバックプレート３は、図５〜７に示すように、主として、絶縁性の設置プレート３１と支柱プレート３２と電極プレート３３、および対電極（電極）３４とを備えている。設置プレート３１は、床などの設置面に設置される円板で、この設置プレート３１の上面から一体的に垂直に延びる支柱プレート３２が形成されている。この支柱プレート３２は、垂直上方に長く延びる長方形の板状で、中央部に垂直に延びる長孔状のスリット３２ａが形成されている。
【００１８】
電極プレート３３は、垂直上方に長く延びる長方形の箱体で、下端部から挿入穴３３ａが形成され、この挿入穴３３ａに支柱プレート３２の上部が挿入された状態で、支柱プレート３２に装着されている。さらに、電極プレート３３の内面には、凸状のガイド片３３ｂが形成され、このガイド片３３ｂが支柱プレート３２のスリット３２ａに嵌合している。そして、支柱プレート３２が電極プレート３３内に挿入され、ガイド片３３ｂがスリット３２ａに嵌合した状態で、電極プレート３３が支柱プレート３２に対して上下動（スライド）できるようになっている。また、電極プレート３３の表面には、ＬＥＤ（Ｌｉｇｈｔ  Ｅｍｉｔｔｉｎｇ  Ｄｉｏｄｅ、表示手段）３５が配設され、このＬＥＤ３５は、後述するケーブル５を介して高電圧発生ユニット４のＬＥＤ出力端子に接続されている。そして、高電圧発生ユニット４が起動して主電極２２に高電圧が印加されると、ＬＥＤ３５が点滅し、高電圧発生ユニット４による高電圧の印加が停止されると、ＬＥＤ３５が消灯するようになっている。
【００１９】
対電極３４は、板状の電極で、電極プレート３３の内部に配設されている。この対電極３３は、後述するケーブル５を介して高電圧発生ユニット４のアース端子に接続されている。また、上記のように、電極プレート３３が支柱プレート３２に対して上下動できることで、対電極３４が上下動可能（移動可能）となっている。
【００２０】
このようなバックプレート３が二体設けられており、各バックプレート３はケーブル５を介して高電圧発生ユニット４に接続されている。すなわち、ケーブル５によって、各バックプレート３の対電極３４と高電圧発生ユニット４のアース端子とが接続され、各バックプレート３のＬＥＤ３５と高電圧発生ユニット４のＬＥＤ出力端子とが接続されている。また、ケーブル５は十分な余長を有し、または伸縮可能となっており、バックプレート３を椅子２から遠くに位置させたり、バックプレート３とバックプレート３とを遠くに離したりできるようになっている。
【００２１】
高電圧発生ユニット４は、商用電源用の電源コード（図示せず）と、電圧を昇圧する昇圧トランス（高圧トランス）と、電圧を出力するための電圧出力端子と、アース接続（接地）されたアース端子と、ＬＥＤ３５に点滅信号などを送るためのＬＥＤ出力端子とを備えている。この高電圧発生ユニット４は、椅子２の座部２１の下方に配設され、昇圧トランスによって発生させた高電圧を、電圧出力端子を介して主電極２２に印加するとともに、アース端子を介して対電極３４をアース電位にする。これにより、椅子２に座っている被治療者Ｃの人体の周囲に電界を形成するものである。なお、高電圧発生ユニット４の稼働、停止などは、リモートコントローラによって制御されるようになっている。
【００２２】
次に、このような構成の電位治療装置１の作動などについて説明する。
【００２３】
まず、電位治療装置１を家の部屋などに設置する。この際、バックプレート３が椅子２から独立して配置可能なため、椅子２の配置位置に限定されず、バックプレート３を自由に配置できる。このため、例えば、まず椅子２を所望の部屋の所望の位置、方向に配置し、椅子２の配置に合わせて、部屋の形状などを考慮しながらバックプレート３を配置する。このとき例えば、椅子２の近くに壁がある場合には、壁と椅子２との間にバックプレート３を配置したり、人体の周囲を囲む（覆う）ように電界が適正に形成されるようにバックプレート３を配置したり、あるいは被治療者Ｃの肩幅に合わせてバックプレート３を配置したりする。
【００２４】
次に、治療を行う場合には、必要に応じて、電界が適正に形成されるように被治療者Ｃの座高などに合わせて、バックプレート３の電極プレート３３を上下動させ、対電極３４の位置を調整する。続いて、被治療者Ｃが椅子２に座り、高電圧発生ユニット４を稼働させる。これにより、主電極２２に高電圧が印加され、被治療者Ｃの人体の周囲に電界が形成されて、この電界によって治療がなされる。また、主電極２２に高電圧が印加されるとＬＥＤ３５が点滅し、高電圧の印加が停止されるとＬＥＤ３５が消灯する。
【００２５】
以上のようにこの電位治療装置１によれば、椅子２とバックプレート３を別個独立して配置可能なため、電位治療装置１の設置自由度が高まる。このため、設置する部屋などが小さい場合や異形の場合であっても、電位治療装置１を設置することや、設置スペースの範囲内で自由な位置や方向に電位治療装置１を設置することが可能となる。また、壁などの近くに椅子２を設置しても、壁などと椅子２との間にバックプレート３を配置することで、壁などによって電界の強度が変化することを防止できる。このため、電位治療装置１を壁などの近くに設置しても、人体の周囲に形成される電界の強度が変化する（乱され）ことがなく、適正な治療効果が得られる。以上のようにして、設置の面および治療効果の面から、設置環境による影響を受けにくくなるものである。
【００２６】
さらに、バックプレート３を二体備えているため、より柔軟な設置および適正な電界の形成が可能となる。すなわち、例えば２つの壁の近くに椅子２を設置しても、壁と椅子２との間にそれぞれバックプレート３を配置することで、壁による電界強度の変化を防止できる。また、例えば椅子２を囲むように二体のバックプレート３を配置することで、被治療者Ｃの人体の周囲を囲むようにより適正な電界を形成することが可能となる。
【００２７】
また、バックプレート３の対電極３４の位置が調整可能なため、被治療者Ｃの体格や設置スペースの環境などに応じて対電極３４の位置を移動させることで、被治療者Ｃの人体の周囲に電界を適正に形成することが可能となる。同様に、設置環境の変化や被治療者Ｃの体格などに応じてバックプレート３の配置位置を変えることで、常に適正な電界を形成することが可能となる。一方、バックプレート３にＬＥＤ３５を備えているため、被治療者Ｃおよび第三者は、ＬＥＤ３５が点滅していることで治療中であることを瞬時かつ容易に把握することができる。
【００２８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、椅子２に１つの主電極２２のみが配設されているが、椅子２に複数の電極を配設した電位治療装置でもよく、被治療者Ｃの足を載せるフットレストに電極を配設した電位治療装置であってもよい。また、上記の実施の形態では、二体のバックプレート３を設けているが、設置スペースなどに応じてさらに多くのバックプレート３を設けたり、１体のバックプレート３に複数の対電極３４を配設したりしてもよい。さらに、主電極２２を高電圧とし、対電極３４をアース電位としているが、各電極への電圧の設定はこれに限らないことは勿論である。
【産業上の利用可能性】
【００２９】
以上のように、本発明に係る電位治療装置は、設置の面および治療効果の面から、設置環境による影響を受けにくい装置として極めて有用である。
【図面の簡単な説明】
【００３０】
【図１】本発明の実施の形態に係る電位治療装置を正面から見た斜視図である。
【図２】図１の電位治療装置を上面から見た斜視図である。
【図３】図１の電位治療装置を側面上方から見た斜視図である。
【図４】図１の電位治療装置の側面図（一部断面図）である。
【図５】図１の電位治療装置のバックプレートの斜視図である。
【図６】図５のバックプレートの正面図（ａ）と側面図（ｂ）と平面図（ｃ）と底面図（ｄ）である。
【図７】図５のバックプレートの断面図である。
【符号の説明】
【００３１】
１          電位治療装置
２          椅子
２１        座部
２２        主電極（電極）
３          バックプレート（独立電極体）
３１        設置プレート
３２        支柱プレート
３２ａ      スリット
３３        電極プレート
３３ａ      挿入穴
３３ｂ      ガイド片
３４        対電極（電極）
３５        ＬＥＤ（表示手段）
４          高電圧発生ユニット（高電圧発生装置）
５          ケーブル
Ｃ          被治療者
【図１】
2008188200.tif 000003
【図２】
2008188200.tif 000004
【図３】
2008188200.tif 000005
【図４】
2008188200.tif 000006
【図５】
2008188200.tif 000007
【図６】
2008188200.tif 000008
【図７】
2008188200.tif 000009